(57)【要約】【課題】  テレビ番組を視聴中に電話の着信があっても、全画面で視聴中のテレビ番組を邪魔されることはなく電話にでることが可能となるテレビ電話機能つきテレビジョンセット及びリモコンセットを提供する。【解決手段】  デジタル放送信号を受信する受信部と、受信部で受信したデジタル放送信号から番組を復元して再生する処理部と、処理部で復元した番組のうち映像を表示する表示部と、番組のうち音声を出力する音声出力部と、通信インタフェースを介して電話処理を行うテレビ電話処理部と、リモコンセットと双方向通信を行うリモコン通信入出力部とを具備し、テレビ電話処理部に着呼通知が来た場合、リモコン通信入出力部を介してリモコンに着呼通知を行い回線が通じた後はリモコンセットと相互に通信することでリモコンセットを介して会話可能とする。【選択図】  図２
2006148741.tif 000002
【特許請求の範囲】
【請求項１】
デジタル放送信号を受信する受信部と、
前記受信部で受信したデジタル放送信号から番組を復元して再生する処理部と、
前記処理部で復元した番組のうち映像を表示する表示部と、
前記番組のうち音声を出力する音声出力部と、
通信インタフェースを介して電話処理を行うテレビ電話処理部と、
リモコンセットと双方向通信を行うリモコン通信入出力部とを具備し、
前記テレビ電話処理部に着呼通知が来た場合、前記リモコン通信入出力部を介して前記リモコンに着呼通知を行い回線が通じた後は前記リモコンセットと相互に通信することで前記リモコンセットを介して会話可能とすることを特徴とする電話機能つきテレビジョンセット。
【請求項２】
請求項１記載のテレビジョンセットと双方向通信を行うリモコン通信入出力部と、
前記リモコン通信入出力部を介してテレビ電話を行うためのテレビ電話処理部と、
前記テレビ電話処理部にて処理された画像信号を表示する表示部とを具備し、
回線が通じた後は前記テレビジョンセットと相互に通信することで会話可能とすることを特徴とする電話機能つきリモコンセット。
【請求項３】
デジタル放送信号を受信する受信部と、
前記受信部で受信したデジタル放送信号から番組を復元して再生する処理部と、
前記処理部で復元した番組のうち映像を表示する表示部と、
前記番組のうち音声を出力する音声出力部と、
通信インタフェースを介して電話処理を行うテレビ電話処理部と、
前記テレビ電話処理部に着呼通知が来た場合、前記着呼を表示するテレビ電話用表示部とを具備することを特徴とするテレビ電話機能つきテレビジョンセット。
【請求項４】
前記テレビ電話用表示部は、回線接続後はテレビ電話用の画像を表示することを特徴とする請求項３記載のテレビ電話機能つきテレビジョンセット。
【発明の詳細な説明】
【技術分野】
【０００１】
本発明は、テレビ電話機能つきテレビジョンセット及びテレビ電話機能つきリモコンセットに関する。
【背景技術】
【０００２】
従来、一般的な商用テレビのテレビ受信機に設けられている高精細カラー表示部と音声多重スピーカとを有効利用してテレビ電話機能を付加したものが特許文献１に提案されている。
【０００３】
このテレビ電話機能つきテレビジョンセットは、チューナと画像出力器と音声出力器とを備えたテレビ受信機と、これに電気的に接続されたテレビ電話機能発生ユニットとを備え、テレビ電話機能発生ユニットは、公衆通信回線に接続され回線制御と着信制御と発信制御の機能を含む送受信制御手段と、公衆通信回路に送受信制御手段を介してプッシュフォン信号を入力するための入力手段と、画像入力用のテレビカメラ及び音声入力用のマイクロフォンと、テレビカメラからの画像入力信号をＡ／Ｄ変換し圧縮された画像データに変換する発信画像信号変換手段と、マイクロフォンからの音声入力信号をＡ／Ｄ変換し圧縮された音声データに変換する発信音声信号変換手段と、画像データと音声データとを受けて送受信制御手段を介して通信回線に出力する発信データ出力手段と、通信回線を介して外部から供給されるデジタル圧縮された画像データと音声データを送受信制御手段から受けて復号しＤ／Ａ変換したアナログ画像信号とアナログ音声信号をテレビ受信機に出力する受信データ出力手段とを備えたものである。
【０００４】
このテレビ電話機能つきテレビジョンセットは、テレビ放送を視聴する機能とテレビ電話を使用する機能を同時に使用する場合に、例えば表示部に大きく表示するメイン画面にテレビ番組を表示しこれを視聴しながら表示部に小さく表示する子画面に相手の顔を映し出してテレビ電話を使用することができるように構成されている。
【０００５】
しかしながら、このようなテレビ電話機能つきテレビジョンセットでは、表示部全面を使ってテレビ番組を視聴している際に電話呼び出しがあった場合、自動的に子画面にて呼び出しがなされるものであり、せっかく大画面で映画など気持ちよく視聴していたものを邪魔されるという問題がある。
【特許文献１】特開平５−２３６４７２号公報
【発明の開示】
【発明が解決しようとする課題】
【０００６】
このように従来、全画面表示にてテレビ番組を視聴中に電話の着信があった場合、自動的に視聴画面にテレビ電話用の子画面が挿入されることからせっかく視聴していたテレビ番組を邪魔されるという問題があった。
【０００７】
そこで本発明は、テレビ番組を視聴中に電話の着信があっても、全画面で視聴中のテレビ番組を邪魔されることはなく電話にでることが可能となるテレビ電話機能つきテレビジョンセット及びテレビ電話機能つきリモコンセットを提供することを目的とする。
【課題を解決するための手段】
【０００８】
上記目的を達成するために、本発明は、デジタル放送信号を受信する受信部と、
前記受信部で受信したデジタル放送信号から番組を復元して再生する処理部と、
前記処理部で復元した番組のうち映像を表示する表示部と、
前記番組のうち音声を出力する音声出力部と、
通信インタフェースを介して電話処理を行うテレビ電話処理部と、
リモコンセットと双方向通信を行うリモコン通信入出力部とを具備し、
前記テレビ電話処理部に着呼通知が来た場合、前記リモコン通信入出力部を介して前記リモコンに着呼通知を行い回線が通じた後は前記リモコンセットと相互に通信することで前記リモコンセットを介して会話可能とすることを特徴とする電話機能つきテレビジョンセットを提供する。
【０００９】
また、本発明はテレビジョンセットと双方向通信を行うリモコン通信入出力部と、
前記リモコン通信入出力部を介してテレビ電話を行うためのテレビ電話処理部と、
前記テレビ電話処理部にて処理された画像信号を表示する表示部とを具備し、
回線が通じた後は前記テレビジョンセットと相互に通信することで会話可能とすることを特徴とする電話機能つきリモコンセットを提供する。
【００１０】
また、本発明は、デジタル放送信号を受信する受信部と、
前記受信部で受信したデジタル放送信号から番組を復元して再生する処理部と、
前記処理部で復元した番組のうち映像を表示する表示部と、
前記番組のうち音声を出力する音声出力部と、
通信インタフェースを介して電話処理を行うテレビ電話処理部と、
前記テレビ電話処理部に着呼通知が来た場合、前記着呼を表示するテレビ電話用表示部とを具備することを特徴とするテレビ電話機能つきテレビジョンセットを提供する。
【００１１】
このとき、前記テレビ電話用表示部は、回線接続後はテレビ電話用の画像を表示することができる。
【発明の効果】
【００１２】
本発明では、テレビ番組を視聴中に電話の着信があっても、テレビジョンセットに付属のリモコンセットに設けられているディスプレーにテレビ電話に必要な画像を表示し、或いはテレビジョンセットに設けられているテレビ電話用の表示部にテレビ電話に必要な画像を表示することで、視聴中のテレビ番組を邪魔されることはなく電話にでることが可能となる。
【発明を実施するための最良の形態】
【００１３】
以下、本発明の最良の実施形態について説明する。本発明はこれら実施形態に限定されることなく、種々工夫して用いることができる。
【００１４】
図１は、本発明のテレビ電話機能つきテレビジョンセットのうちデジタルテレビジョン放送受信に必要なテレビジョン装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００１５】
そして、このチューナ４５で選局された放送信号は、ＰＳＫ（Ｐｈａｓｅ  Ｓｈｉｆｔ  Ｋｅｙｉｎｇ）復調器４６に供給されて、デジタルの映像信号及び音声信号に復調された後、信号処理部４７に出力される。
【００１６】
また、地上デジタル放送受信用のアンテナ４８で受信した地上デジタルテレビジョン放送信号は、入力端子４９を介して地上デジタル放送用のチューナ５０に供給されることにより、所望のチャンネルの放送信号が選局される。
【００１７】
そして、このチューナ５０で選局された放送信号は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調器５１に供給されて、デジタルの映像信号及び音声信号に復調された後、上記信号処理部４７に出力される。
【００１８】
ここで、上記信号処理部４７は、ＰＳＫ復調器４６から供給されたデジタルの映像信号及び音声信号と、ＯＦＤＭ復調器５１から供給されたデジタルの映像信号及び音声信号とに対して、選択的に所定のデジタル信号処理を施し、グラフィック処理部５４及び音声処理部５５に出力している。
【００１９】
このうち、グラフィック処理部５４は、信号処理部４７から供給されるデジタルの映像信号に、ＯＳＤ（Ｏｎ  Ｓｃｒｅｅｎ  Ｄｉｓｐｌａｙ）信号生成部５７で生成されるＯＳＤ信号を重畳して出力する機能を有する。また、このグラフィック処理部５４は、信号処理部４７の出力映像信号と、ＯＳＤ信号生成部５７の出力であるＯＳＤ信号とを選択的に出力すること、また、両出力をそれぞれ画面の半分を構成するように組み合わせて出力することができる。
【００２０】
そして、グラフィック処理部５４から出力されたデジタルの映像信号は、映像処理部５８に供給される。この映像処理部５８は、入力されたデジタルの映像信号を、映像表示器１４で表示可能なフォーマットのアナログ映像信号に変換し、映像表示器１４に出力して映像表示させる。
【００２１】
また、音声処理部５５は、信号処理部４７から入力されたデジタル音声信号を、スピーカ１５で再生可能なフォーマットのアナログ音声信号に変換し、スピーカ１５に出力して音声再生させる。
【００２２】
ここで、このデジタルテレビジョン放送受信装置１１は、各種の受信動作を含むその全ての動作を制御部６１によって統括的に制御されている。この制御部６１は、ＣＰＵ（Ｃｅｎｔｒａｌ  Ｐｒｏｃｅｓｓｉｎｇ  Ｕｎｉｔ）等を内蔵しており、操作部１６からの操作情報を受け、または、リモートコントローラ１７から送出された操作情報を、受光部１８を介して受信し、その操作内容が反映されるように各部をそれぞれ制御している。
【００２３】
この場合、制御部６１は、主として、そのＣＰＵが実行する制御プログラムを格納したＲＯＭ（Ｒｅａｄ  Ｏｎｌｙ  Ｍｅｍｏｒｙ）６２と、該ＣＰＵに作業エリアを提供するＲＡＭ（Ｒａｎｄｏｍ  Ａｃｃｅｓｓ  Ｍｅｍｏｒｙ）６３と、各種の設定情報及び制御情報等が格納される不揮発性メモリ６４とを利用している。
【００２４】
また、この制御部６１は、カードＩ／Ｆ（Ｉｎｔｅｒｆａｃｅ）６５を介して、第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００２５】
さらに、制御部６１は、カードＩ／Ｆ６７を介して、第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００２６】
また、制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤと、通信Ｉ／Ｆ６９を介して情報伝送を行なうことができる。この場合、制御部６１は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバ機能を有し、第１のＬＡＮ端子２１に接続されたＬＡＮ対応のＨＤＤにＩＰ（Ｉｎｔｅｒｎｅｔ  Ｐｒｏｔｏｃｏｌ）アドレスを割り当てて制御している。
【００２７】
さらに、制御部６１は、通信Ｉ／Ｆ７０を介して第２のＬＡＮ端子２２に接続されている。これにより、制御部６１は、第２のＬＡＮ端子２２に接続された各機器（例えばパーソナルコンピュータや携帯端末、携帯電話など）と、通信Ｉ／Ｆ７０を介して情報伝送を行なうことができる。
【００２８】
また、制御部６１は、ＵＳＢ  Ｉ／Ｆ７１を介してＵＳＢ端子２３に接続されている。これにより、制御部６１は、ＵＳＢ端子２３に接続された各機器（例えばパーソナルコンピュータや携帯端末、携帯電話など）と、ＵＳＢ  Ｉ／Ｆ７１を介して情報伝送を行なうことができる。
【００２９】
さらに、制御部６１は、ｉ．Ｌｉｎｋ  Ｉ／Ｆ７２を介してｉ．Ｌｉｎｋ端子２４に接続されている。これにより、制御部６１は、ｉ．Ｌｉｎｋ端子２４に接続された各機器（例えばパーソナルコンピュータや携帯端末、携帯電話など）と、ｉ．Ｌｉｎｋ  Ｉ／Ｆ７２を介して情報伝送を行なうことができる。
【００３０】
次に、図２を用いて本発明のテレビ電話機能つきテレビジョンセット及びリモコンセットのうちテレビ電話機能について説明する。
【００３１】
図２に示すように、図１でも説明したテレビジョンセット２００は、ネットワークとのインタフェースを処理するネットワークインタフェース部２０１と、このインタフェースに接続され、テレビ電話の処理機能を有するテレビ電話処理部２０２と、リモコンセット２０４と双方向通信路を実現するリモコン通信入出力部２０３とを設けている。
【００３２】
リモコンセット２０４は、テレビジョンセット２００と双方向通信路を実現するリモコン通信入出力部２０７と、これに接続されテレビ電話の処理機能を有するテレビ電話処理部２０６と、このテレビ電話処理部２０６にそれぞれ接続された表示部２０５、音声出力部２０８、音声入力部２１０、ユーザ入力処理部２０９とを有している。
【００３３】
音声出力部２０８は、テレビ電話処理部２０６にて処理された電話用音声を出力するためのものであり、表示部２０５は、テレビ電話処理部２０６にて処理された電話用画像を表示する。もちろん表示部２０５はその他の処理画像を表示するためにも用いられる。
【００３４】
音声入力部２１０は、ユーザの音声を入力するためのマイクロフォンである。また、ユーザ入力処理部２０９は電話番号やその他のユーザ入力処理を行うものであり、テレビ電話を行うための信号はテレビ電話処理部２０６に入力され、その他の機能を行うための信号はリモコン入出力部２０７に直接入力される。
【００３５】
図４を用いて電話を着信してからの処理のフローを説明する。
【００３６】
図４に示すように、ネットワークを介して着呼信号がネットワークインタフェース部２０１に入力される。次に、着呼信号がテレビ電話処理部２０２に通知される。テレビ電話処理部２０２は、着呼を受けるとリモコン通信入出力部２０３を介してリモコンセット２０４に着呼通知を行う。
【００３７】
次に、リモコンセット２０４は、リモコン通信入出力部２０７を介して着呼通知を受けテレビ電話処理部２０６に入力される。テレビ電話処理部２０６は、着呼通知を受けると表示部２０５に着呼表示を行う。必要であれば音声出力部２０８にて着呼音を発生させる。
【００３８】
次に、ユーザにて受信のための応答入力がされるとユーザ入力処理部２０９に入力され、これを受けてテレビ電話処理部２０６にて受信応答信号が出力される。この受信応答は、リモコンセット２０４のリモコン通信入出力部２０７、テレビセット２００のリモコン通信入出力部２０３、テレビ電話処理部２０２、ネットワークインタフェース部２０１を介して外部の発信者に送信される。
【００３９】
このようにして回線が開通された後は、リモコンセット２０４の表示部２０５、音声出力部２０８、音声入力部２１０などを用いてテレビ電話を行うことができる。
【００４０】
次に、図３に本発明の他の実施例を示す。同一箇所は図２と同一符号を付してその詳しい説明を省略する。
【００４１】
本実施例では、音声出力部２０８、音声入力部２１０を省略し、着呼のみ表示部２０５にて表示する。応答はテレビジョンセット２００に設置されているテレビ電話処理２０２や映像表示部１４、音声出力部１５、図示していないが音声入力部にて行うことができる。
【００４２】
次に、図５に本発明の他の実施例を示す。本実施例はテレビジョンセット５１０にテレビ電話用の表示部５０５を、テレビジョン用の画像ディスプレー部５０３とは別に設けたものである。
【００４３】
その他に、このテレビジョンセット５１０は、ネットワークインタフェース部５００と、テレビ電話処理部５０１と、電源制御部５０４と、テレビメイン回路部５０２と、ユーザ入力部５０６とを設けている。
【００４４】
このテレビ電話機能つきテレビジョンセット５１０では、テレビ電話用のネットワークインタフェース部５００とテレビ電話処理部５０１及び着信などの状態を表示するテレビ電話用表示部５０５を、テレビメイン回路５０２、テレビディスプレー部５０３と独立に電源制御が行われるように電源制御部５０４が設けられている。
【００４５】
このようにすることで例えば、テレビジョンセット５１０本体の電源を入れていない場合でも、着呼時にはテレビ電話機能を使用するために専用のテレビ電話処理部５０１、テレビ電話用の表示部５０５を起動させ、テレビ機能のメインのディスプレー部５０３やテレビメイン回路部５０２を起動させなくてもよく無駄な電力の消費を防ぐことができる。
【００４６】
なお、電源制御を行うためのユーザ処理部５０６は、テレビジョンセット５１０本体に設けてもよいし、リモコンセットに設けてもよい。
【００４７】
また、リモコンセットは、着呼の表示の変わりに音を鳴らしたり、振動を起こしたりしてもよい。また、あらかじめ着信時の応答の仕方をリモコンセットでテレビジョンセットのほうのテレビ電話処理部に登録していてもよい。
【図面の簡単な説明】
【００４８】
【図１】本発明のテレビ電話機能つきテレビジョンセットのテレビジョンに関する主要構成を示すブロック図。
【図２】本発明のテレビ電話機能つきテレビジョンセットのテレビ電話機能に関する主要構成を示すブロック図とテレビ電話機能つきリモコンセットの主要構成を示すブロック図。
【図３】本発明のテレビ電話機能つきテレビジョンセットのテレビ電話機能に関する主要構成を示すブロック図とテレビ電話機能つきリモコンセットの主要構成を示すブロック図。
【図４】本発明のテレビ電話機能つきテレビジョンセット及びリモコンセットを用いた信号処理の流れを示すフロー。
【図５】本発明のテレビ電話機能つきテレビジョンセットの他の実施例を示すブロック図。
【符号の説明】
【００４９】
１１…デジタルテレビジョン放送受信装置
１４…映像表示器
１５…スピーカ
１６…操作部
１７…リモートコントローラ
１８…受光部
１９…第１のメモリカード
２０…第２のメモリカード
２１…第１のＬＡＮ端子
２２…第２のＬＡＮ端子
２３…ＵＳＢ端子
２４…ｉ．Ｌｉｎｋ端子
４３…アンテナ
４４…入力端子
４５…チューナ
４６…ＰＳＫ復調器
４７…信号処理部
４８…アンテナ
４９…入力端子
５０…チューナ
５１…ＯＦＤＭ復調器
５２…チューナ
５３…アナログ復調器
５４…グラフィック処理部
５５…音声処理部
５６ａ、５６ｂ、５６ｃ、５６ｄ…制御端子
５７…ＯＳＤ信号生成部
５８…映像処理部
５９…出力端子
６０…出力端子
６１…制御部
６２…ＲＯＭ
６３…ＲＡＭ
６４…不揮発性メモリ
６５…カードＩ／Ｆ
６６…カードホルダ
６７…カードＩ／Ｆ
６８…カードホルダ
６９…通信Ｉ／Ｆ
７０…通信Ｉ／Ｆ
７１…ＵＳＢ  Ｉ／Ｆ
７２…Ｉ  ｌｉｎｋ  Ｉ／Ｆ
２００…テレビ電話機能つきテレビジョンセット
２０１…ネットワークインタフェース部
２０２…テレビ電話処理部
２０３…リモコン通信入出力部
２０４…テレビ電話機能つきリモコンセット
２０５…表示部
２０６…テレビ電話処理部
２０７…リモコン通信入出力部
２０８…音声出力部
２０９…ユーザ入力処理部
２１０…音声入力部
５００…ネットワークインタフェース部
５０１…テレビ電話処理部
５０２…テレビメイン回路部５０２
５０３…テレビディスプレー部
５０４…電源制御部
５０５…テレビ電話用表示部
５０６…ユーザ入力処理部
５１０…テレビ電話機能つきテレビジョンセット
【図１】
2006148741.tif 000003
【図２】
2006148741.tif 000004
【図３】
2006148741.tif 000005
【図４】
2006148741.tif 000006
【図５】
2006148741.tif 000007